(57)【要約】  【課題】  本発明は、カード、名刺、写真、メモ等を保持しておく機能と図面や試作品の長さを測ったり、レンズで試作品の構造を見たりする機能を備えた一体型の卓上カードホルダを提供することを目的とする。  【解決手段】  卓上カードホルダ１００は、基台１０、支持部材２０、カードホルダ部材３０からなる。基台１０は、凸レンズになっており、また、底面１５には、目盛が刻印されている。支持部材２０は、支持棒２１、補強棒２６、カードホルダ接合部材２７からなり、支持棒２１及びカードホルダ接合部材２７はそれぞれ回動可能である。また、カードホルダ部材３０は、カードホルダ本体部３１、カードホルダ本体支持部３２、カードホルダ止め部材３３からなり、カードホルダ部材３０も回動可能な構造である。【選択図】        図１
2005300768.tif 000002
【特許請求の範囲】
【請求項１】
円盤状の基台と、前記円盤状の基台の中心部に設けられた凹部と、前記円盤状の基台の中心部に設けられた回動自在な支持部材と、前記支持部材の先端に取り付けられた回動自在なカードホルダ部材と、を備えるようにしたことを特徴とする卓上カードホルダ。
【請求項２】
前記円盤状の基台の底部の外周に沿って目盛を刻印し、前記円盤状の基台を転動させて２点間の長さを測るようにしたことを特徴とする請求項１に記載の卓上カードホルダ。
【請求項３】
前記円盤状の基台を凸レンズにするようにしたことを特徴とする請求項１又は２に記載の卓上カードホルダ。
【請求項４】
前記支持部材は、支持棒と、カードホルダ接合部材と、補強棒と、からなり、前記支持棒は、基台挿入部の軸心を中心として回動し、前記カードホルダ接合部材は、接合部材挿入部の軸心を中心として回動することを特徴とする請求項１乃至３に記載の卓上カードホルダ。
【請求項５】
前記支持部材は、第１の支持棒と、カードホルダ接合部材と、第２の支持棒と、基台挿入棒とからなり、前記カードホルダ接合部材は、接合部材挿入部の軸心を中心として回動し、前記基台挿入棒は、その軸心を中心として回動することを特徴とする請求項１乃至３に記載の卓上カードホルダ。
【請求項６】
前記カードホルダ部材は、カードホルダ本体部と、カードホルダ本体支持部と、カードホルダ止め部材からなり、前記カードホルダ止め部材の一部である前記カードホルダ挿入棒の軸心を中心として回動することを特徴とする請求項１乃至５に記載の卓上カードホルダ。
【請求項７】
前記支持棒の接合部材挿入部の先端部がカードホルダ挿入棒と接することを特徴とする請求項１乃至６に記載の卓上カードホルダ。
【発明の詳細な説明】
【技術分野】
【０００１】
本発明は、カード、名刺、写真、メモ等を挟むことができるカードホルダをレンズ及び測定機能を備えた基台に取り付けた卓上カードホルダに関する。
【背景技術】
【０００２】
技術的な事柄の打ち合わせおいては、初対面の場合、まず、名刺交換等をした後に、図面や試作品についていろいろな提案をしたり、問題点について検討をしたりする。その際、名刺は、机の上に置いておくのが通常であるが、カードホルダに挟んで、書類に埋もれたりしないように名刺が常に自分に見えるようにしておくことも考えられる。また、打ち合わせの過程において、図面や試作品の長さを測ったり、レンズで試作品の構造を見たりすることは頻繁にある。
【０００３】
従来、カード、名刺、写真、メモ等を保持しておく構造としては、特許文献１に示す技術が開示されている。この特許文献１に示す技術内容は、額の下端を係止する係止部と、額の背面を支える凭れ部とを有する立体形状の額立ての構造についてである。
【特許文献１】実用新案登録第３０１１９８８号
【発明の開示】
【発明が解決しようとする課題】
【０００４】
しかしながら、特許文献１に示す技術は、カード、名刺、写真、メモ等を保持しておくことを目的とするのみで、打ち合わせの過程において、図面や試作品の長さを測ったり、レンズで試作品の構造を見たりする機能はない。打ち合わせにおいて、カード、名刺、写真、メモ等を挟んでおく機能と図面や試作品の長さを測ったり、レンズで試作品の構造を見たりする機能が一体になった器具があると便利である。
【０００５】
以上のような打ち合わせの実情に鑑みて、本発明は、カード、名刺、写真、メモ等を保持しておく機能と図面や試作品の長さを測ったり、レンズで試作品の構造を見たりする機能を備えた一体型の卓上カードホルダを提供することを目的とする。
【課題を解決するための手段】
【０００６】
以上のような目的を達成するために、第１の発明は、円盤状の基台と、前記円盤状の基台の中心部に設けられた凹部と、前記円盤状の基台の中心部に設けられた回動自在な支持部材と、前記支持部材の先端に取り付けられた回動自在なカードホルダ部材と、を備えるようにしたことを特徴とする。
【０００７】
第２の発明は、  前記円盤状の基台の底部の外周に沿って目盛を刻印し、前記円盤状の基台を転動させて長さを測れるようにしたことを特徴とする。
【０００８】
第３の発明は、前記円盤状の基台を凸レンズにするようにしたことを特徴とする。
【０００９】
第４の発明は、前記支持部材は、支持棒と、カードホルダ接合部材と、補強棒とからなり、前記支持棒は、基台挿入部を中心として回動し、前記カードホルダ接合部材は、前記カードホルダ接合部材の軸心を中心として回動することを特徴とする。
【００１０】
第５の発明は、前記支持部材は、第１の支持棒と、カードホルダ接合部材と、第２の支持棒と、基台挿入棒とからなり、前記カードホルダ接合部材は、接合部材挿入部の軸心を中心とし、前記基台挿入棒は、前記基台挿入棒の軸心を中心として回動することを特徴とする。
【００１１】
第６の発明は、前記カードホルダ部材は、カードホルダ本体部と、カードホルダ本体支持部と、カードホルダ止め部材からなり、前記カードホルダ止め部材の一部である前記カードホルダ挿入棒の軸心を中心として回動することを特徴とする。
【００１２】
第７の発明は、前記支持棒の接合部材挿入部の先端部がカードホルダ挿入棒と接することを特徴とする。
【発明の効果】
【００１３】
第１の発明によれば、卓上カードホルダは、円盤状の基台と前記円盤状の基台の中心部に設けられた回動自在な支持部材と、前記支持部材の先端に取り付けられた回動自在なカードホルダ部材からなるので、カードホルダにカード、メモ帳、名刺、写真等を挟めると同時に、カード、メモ帳、名刺、写真等を挟んだカードホルダの角度を自分に使いやすいように調整可能である。また、円盤状の基台の中心部に設けられた凹部に例えば、朱肉を染みこませたスポンジを入れることによって、印鑑の使用の時に便利である。
【００１４】
第２の発明によれば、卓上カードホルダの円盤状の基台の底部の外周に沿って目盛を刻印し、前記円盤状の基台を転動させて長さを測れるようにしたので、打ち合わせの過程において、図面や試作品の長さを測ることが可能である。
【００１５】
第３の発明によれば、卓上カードホルダの円盤状の基台を凸レンズにするようにしたので、打ち合わせの過程において、凸レンズを拡大鏡として使用して試作品の構造を拡大して見ることが可能である。
【００１６】
第４の発明によれば、卓上カードホルダの前記支持部材は、支持棒と、カードホルダ接合部材と、補強棒とからなり、前記支持棒は、基台挿入部を中心として回動し、前記カードホルダ接合部材は、前記カードホルダ接合部材の軸心を中心として回動するので、カード、メモ帳、名刺、写真等を挟んだカードホルダの角度を自分に使いやすいように支持棒とカードホルダ接合部材の２つの部分から調整することが可能である。
【００１７】
第５の発明によれば、卓上カードホルダの前記支持部材は、支持棒と、カードホルダ接合部材と、支持脚棒と、基台挿入棒とからなり、前記カードホルダ接合部材は、前記カードホルダ接合部材の軸心を中心として回動し、前記基台挿入棒は、前記基台挿入棒の軸心を中心として回動するので、カード、メモ帳、名刺、写真等を挟んだカードホルダの角度を自分に使いやすいようにカードホルダ接合部材と基台挿入棒の２つの部分から調整することが可能である。
【００１８】
第６の発明によれば、卓上カードホルダの前記カードホルダ部材は、カードホルダ本体部と、カードホルダ本体支持部と、カードホルダ止め部材からなり、前記カードホルダ部材は、前記カードホルダ止め部材の一部の前記カードホルダ挿入棒の軸心を中心として回動するので、カードホルダ本体部を調整することによって、カード、メモ帳、名刺、写真等を挟んだカードホルダの角度を自分に使いやすいように支持棒とカードホルダ接合部材の２つの部分から調整することが可能である。
【００１９】
第７の発明によれば、卓上カードホルダの前記支持棒の先端部がカードホルダ挿入棒と接し、カードホルダ挿入棒に対して先端部が横から摩擦力を加えられるので、前記カードホルダ部材を任意の位置で静止するように調整することが可能である。
【発明を実施するための最良の形態】
【００２０】
第１の実施例
本発明の卓上カードホルダを以下図面を参照して説明する。図１は、本発明の卓上カードホルダの第１の実施例を示すものである。卓上カードホルダ１００は、基台１０、支持部材２０、カードホルダ部材３０から成る。
【００２１】
次に本発明の卓上カードホルダ１００の基台１０について図２を参照して説明する。図２（Ａ）は、基台１０を斜め上方から見た図である。基台１０は、曲面部１１、円柱部１２、平面部１３、凹部１４から成り、曲面部１１は、凸レンズの機能を備えており、拡大鏡として使用される。基台１０の材質は、例えば、合成石英ガラスを用いる。曲面部１１、円柱部１２、平面部１３、凹部１４は、図２（Ａ）、（Ｂ）に示されるように、最下部に円柱部１２が位置し、円柱部１２の上に曲面部１１が位置し、曲面部の頂部を円柱部１２の底面１５に平行に切り取った平面部１３が最上部に位置している。
【００２２】
平面部１３は、図２（Ａ）に示すように上方から見るとその形状は、円になっている。そして、平面部１３中に、凹部１４が形成されている。本実施例では、凹部１４は、略直方体状になっているが、これに限るものでなく、円柱状にしてもよい。この凹部１４は、ここに朱肉を染み込ませたウレタン等からなるスポンジを入れ、印鑑を使用する時に使用するようにしてもよい。さらに凹部１４の側面部には、穴１６（穴１６ａ，１６ｂを合わせて穴１６という。）が設けられている。この穴１６は、後述する基台挿入部２２ａ、２２ｂが挿入され、支持部材２０を基台１０に取付けるためのものである。
【００２３】
また、基台１０の底面部１５は、本実施例では、円になっており、図３に示すように底面部１５に目盛を刻印してもよい。この目盛は、例えば、底面部１５の円周を３０等分して一目盛１ｃｍとする。目盛を刻印したのは、本発明の卓上カードホルダ１００の基台１０を、図４に示すように、例えば、曲線を含む２点間ＡＢ間の長さを測る測定器具としての役割を果たさせるためである。曲線を含む２点間ＡＢ間の長さの測り方は、例えば、図４に示すように地点Ａに基台１０の目盛の０を合わせておき、被測定物の形状に沿って、点Ｂまで基台１０を転動させるようにする。点Ｂに達した際に被測定物と基台１０が接している部分の目盛が曲線を含む２点間ＡＢ間の長さである。
【００２４】
次に図５を参照して、支持部材２０について説明する。支持部材２０は、支持棒２１（支持棒２１ａ，２１ｂを合わせて支持棒２１という。）、カードホルダ接合部材２７、補強棒２６からなる。
【００２５】
本実施例における支持棒２１は、クランク形状の円柱棒であり、支持棒２１ａ，２１ｂの２本からなる。支持棒２１は、クランク形状の一端にある基台挿入部２２（基台挿入部２２ａ、２２ｂを合わせて基台挿入部２２という。）、クランク形状の他端にある接合部材挿入部２４（接合部材挿入部２４ａ、２４ｂを合わせて接合部材挿入部２４という。）、支持脚部２３（支持脚部２３ａ、２３ｂを合わせて支持脚部２３という。）から成り、これらは一体的に成形されている。
【００２６】
基台挿入部２２は、基台１０の凹部の側面部に設けられた穴１６に挿入されており、支持棒２１は、図５中の基台挿入部２２の周囲の矢印に示すように、基台挿入部２２ａ、２２ｂの軸心を回動中心として回動自由である。
【００２７】
接合部材挿入部２４は、図５に示すように円柱形状をしており、接合部材挿入部２４a、２４ｂは、その先端部２５がカードホルダ挿入棒３４と接しない長さになっている。
【００２８】
カードホルダ接合部材２７の形状は、図７（Ａ）に示すように円周の一部にスリットが設けられた中空円筒形状をしており、中空円筒の内径は、接合部材挿入部２４の径と同じか又は、わずかに小さくなっている。図７（Ｂ）〜（Ｄ）は、接合部材挿入部２４をカードホルダ接合部材２７に挿入する過程を図５中のＸ−Ｙ断面方向から見たである。接合部材挿入部２４をカードホルダ接合部材２７に挿入するとカードホルダ接合部材２７の中空円筒のスリット部は拡げられた後に、接合部材挿入部２４はカードホルダ接合部材２７に嵌まる。このような形状としたのは、接合部材挿入部２４をカードホルダ接合部材２７に挿入することを容易にし、また、カードホルダ接合部材２７が接合部材挿入部２４に外側からある程度の力を加えることによって、接合部材挿入部２４のすべりを防止するためである。
【００２９】
カードホルダ接合部材２７は、図５のカードホルダ接合部材２７の周囲の矢印で示すように、接合部材挿入部２４の軸心を回動中心として回動可能である。上述のようにカードホルダ接合部材２７が接合部材挿入部２４に外側からある程度の力を加えているので、カードホルダ接合部材２７は、任意の位置で止めた場合でもその任意の位置で静止する。
【００３０】
補強棒２６は、その一端がそれぞれ支持脚部２３ａ、２３ｂに取り付けられている。この補強棒２６は、支持脚部２３ａと支持脚部２３ｂを平行にすると共に、支持脚部２３ａと支持脚部２３ｂの強度を保つために設けられている。
【００３１】
次にカードホルダ部材３０について説明する。カードホルダ部材３０は、カードホルダ本体部３１、カードホルダ本体支持部３２、カードホルダ止め部材３３からなる。
【００３２】
カードホルダ本体部３１は、コの字型の立体形状をしており、コの字型の凹部３１ａにカード、メモ帳、名刺、写真等を挟むようになっている。カードホルダ本体部３１は、カードホルダ本体支持部３２と図５に示すように一体に形成されている。カードホルダ本体支持部３２の一端は、カードホルダ接合部材２７と接している。カードホルダ本体支持部３２中に設けられた穴３２ａとカードホルダ接合部材２７に設けられた穴２７ｕの位置を合わせ、カードホルダ接合部材２７のスリットからカードホルダ止め部材３３に設けられたカードホルダ挿入棒３４を挿入し、穴２７ｕを通して穴３２ａに挿入する。この時に、穴３２ａに接着剤等を入れておけば、カードホルダ挿入棒３４は穴３２ａに固着され、カードホルダ部材３０は、カードホルダ本体支持部３２を介してカードホルダ接合部材２７に取り付けられる。このようにして、カードホルダ部材３０は、カードホルダ挿入棒３４の軸心を回動中心として、図５のカードホルダ本体支持部３２の周囲の矢印で示すように回動できるようになる。
【００３３】
なお、カードホルダ部材３０をカードホルダ接合部材２７に取付ける際に、カードホルダ本体支持部３２とカードホルダ止め部材３３とでカードホルダ接合部材２７を挟むには、ある程度の力が必要である。この挟む力が強ければ、カードホルダ本体支持部３２、カードホルダ止め部材３３とカードホルダ接合部材２７の間に発生する摩擦力が強くなるので、カードホルダ部材３０を回動させ、任意の位置で止めた場合に、その任意の位置で静止させられるからである。
【００３４】
第２の実施例
図６は、本発明の卓上カードホルダの第２の実施例の卓上カードホルダ２００を示す図である。第１の実施例の卓上カードホルダ１００と第２の実施例の卓上カードホルダ２００の相違点は、第２の実施例の卓上カードホルダ２００の接合部材挿入部２４の先端部２５を、カードホルダ挿入棒３４に接するような構造にした点である。かかる構造にするとカードホルダ部材３０が回動する時に回転軸（カードホルダ挿入棒３４）に垂直な方向から摩擦力が加わることになるので、その摩擦力によって、カードホルダ部材３０を任意の位置で静止させるように調整することが可能である。
【００３５】
第３の実施例
図８は、本発明の卓上カードホルダの第３の実施例の卓上カードホルダ３００を示す図である。第３の実施例の卓上カードホルダ３００と第１の実施例の卓上カードホルダ１００との構造上の相違点は、支持部材の構造である。卓上カードホルダ３００の支持部材４０は、支持棒４１（支持棒４１ａ、４１ｂを合わせて支持棒４１という。）と支持棒４１の一部である横棒４２の中点において結合している１本の支持棒４３と穴１６に挿入する基台挿入棒４４からなり、これらは、一体的に成形されている。支持棒４１の一部である接合部材挿入部４５（接合部材挿入部４５ａと４５ｂをあわせて接合部材挿入部４５という。）の部分は、図５、又は図６と同様に、カードホルダ接合部材４６と結合される部分においては、繋がっていないので、支持棒４１は、一辺が切れている長方形又は、正方形の形状をなっている。そして、基台挿入棒４４の軸心を回動中心として、図８中の基台挿入棒４４の周囲の矢印で示すように回動する。第２の実施例の卓上カードホルダ２００のその他の構造や動きは、第１の実施例と同様であるので説明を省略する。
【図面の簡単な説明】
【００３６】
【図１】本発明の卓上カードホルダの斜視図である。
【図２】本発明の卓上カードホルダの基台を示す図である。（Ａ）は、本発明の卓上カードホルダを斜めから見た斜視図であり、（Ｂ）は、本発明の卓上カードホルダを側面からみた側面図である。
【図３】本発明の卓上カードホルダの底面図である。
【図４】本発明の卓上カードホルダを使って曲線を含む２点間ＡＢ間の長さの測り方を示す図である。
【図５】本発明の卓上カードホルダの支持部材とカードホルダ部材を示す図である。
【図６】本発明の第２の実施例における卓上カードホルダの支持棒の形状を示す図である。
【図７】本発明の卓上カードホルダのカードホルダ接合部材を示す図である。（Ａ）は、カードホルダ接合部材を斜めから見た斜視図であり、（Ｂ）〜（Ｄ）は、本発明の卓上カードホルダのカードホルダ接合部材に接合部材挿入部を挿入する過程を示す図である。
【図８】本発明の卓上カードホルダの第３の実施例における支持部材とカードホルダ部材を示す図である。
【符号の説明】
【００３７】
１０  基台
１１  曲面部
１２  円柱部
１３  平面部
１４  凹部
１５  底面部
１００  卓上カードホルダ
２０、４０  支持部材
３０  カードホルダ部材
１６（１６ａ、１６ｂ）、２７ｕ、３２ａ  穴
２１（２１ａ，２１ｂ）、４１（４１ａ、４１ｂ）  支持棒
２２（２２ａ、２２ｂ）  基台挿入部
２３（２３ａ、２３ｂ）  支持脚部
２４（２４ａ、２４ｂ）、４５（４５ａ、４５ｂ）  接合部材挿入部
２５  先端部（２５ａ、２５ｂ）
２６  補強棒
２７、４６  カードホルダ接合部材
３０  カードホルダ部材
３１  カードホルダ本体部
３２  カードホルダ本体支持部
３３  カードホルダ止め部材
３４  カードホルダ挿入棒
４２  横棒
４３  支持脚棒
４４  基台挿入棒
１００、２００、３００  卓上カードホルダ
【図１】
2005300768.tif 000003
【図２】
2005300768.tif 000004
【図３】
2005300768.tif 000005
【図４】
2005300768.tif 000006
【図５】
2005300768.tif 000007
【図６】
2005300768.tif 000008
【図７】
2005300768.tif 000009
【図８】
2005300768.tif 000010